(57)【要約】【課題】線材の供給をよりスムーズに行うこと。【解決手段】線材供給装置１０は、線材１２を供給する装置である。この線材供給装置１０は、第１の線材巻回体２０の巻き終わりと第２の線材巻回体２０の巻き始めとが連続した線材１２が巻回収納され、線材１２が巻回される際の中心軸を所定の基軸１５に直交する平面に対して傾斜させた姿勢で所定の基軸１５周りに間隔をあけて配設された複数の線材巻回体２０と、基軸１５周りの回転動作を可能に支持され、外周側部分に設けられて第１又は第２の線材巻回体２０のいずれかから引き出される線材１２を延在方向に移動可能に支持する誘導部４２と、内周側部分に設けられて線材１２が引き出される引出部４６とを含み、誘導部４２が回転動作によって第１又は第２の線材巻回体２０の各上方の位置に移動可能に構成された引出誘導部４０とを備える。【選択図】図１
2014034465.tif 000002
【特許請求の範囲】
【請求項１】
線材を供給する線材供給装置であって、
第１の線材巻回体と第２の線材巻回体とを含み、前記第１の線材巻回体の巻き終わりと前記第２の線材巻回体の巻き始めとが連続した線材が巻回形態に維持され、前記線材が巻回される際の中心軸を所定の基軸に直交する平面に対して傾斜させた姿勢で前記所定の基軸周りに間隔をあけて配設された複数の線材巻回体と、
前記所定の基軸周りの回転動作を可能に支持され、外周側部分に設けられて前記第１の線材巻回体又は前記第２の線材巻回体から引き出される前記線材を延在方向に移動可能に支持する誘導部と、内周側部分に設けられて前記誘導部に支持された前記線材が引き出される引出部とを含み、前記誘導部が前記回転動作によって前記第１の線材巻回体又は前記第２の線材巻回体のそれぞれの上方の位置に移動可能に構成された引出誘導部と、
を備える、線材供給装置。
【請求項２】
請求項１に記載の線材供給装置であって、
前記複数の線材巻回体は、前記中心軸を前記所定の基軸に沿わせて配設されている、線材供給装置。
【請求項３】
請求項１又は２に記載の線材供給装置であって、
前記引出誘導部は、前記誘導部が前記第１の線材巻回体又は前記第２の線材巻回体のそれぞれの前記中心軸の直上を含む軌道上で移動するように回転可能に支持されている、線材供給装置。
【請求項４】
請求項１から３のいずれか一項に記載の線材供給装置であって、
前記引出誘導部は、前記誘導部と前記引出部とが、前記誘導部から前記引出部に向けて渡される前記線材を水平かそれより下方に向く経路に案内可能な位置関係で配設されている、線材供給装置。
【請求項５】
請求項１から４のいずれか一項に記載の線材供給装置であって、
前記第１の線材巻回体と前記第２の線材巻回体との間に立設され、前記第１の線材巻回体と前記第２の線材巻回体との間に延在する前記線材が前記所定の基軸から離間する向きに規制可能な線材規制部をさらに備える、線材供給装置。
【請求項６】
請求項５に記載の線材供給装置であって、
前記線材規制部は、前記第１の線材巻回体と前記第２の線材巻回体との間の中間領域において、前記引出誘導部の前記誘導部の軌道の真下の位置に立設されている、線材供給装置。
【請求項７】
請求項５又は請求項６に記載の線材供給装置であって、
前記線材規制部は、円柱周面を有する形状に形成されている、線材供給装置。
【発明の詳細な説明】
【技術分野】
【０００１】
この発明は、線材を連続供給する技術に関する。
【背景技術】
【０００２】
導体芯線を縮径加工する場合等、線材を供給する際には、線材巻回体に巻回されている連続した線材が順時引き出されることにより行われることがある。特許文献１に開示のサプライスタンド装置は、輪状に巻かれた電線束が載置されるスタンド台部と、スタンド台部の中央部に立設された支柱部とを備え、支柱部の上方に配置された電線ガイドを介して電線が上方へ引き出されることにより電線を供給可能に構成されている。
【先行技術文献】
【特許文献】
【０００３】
【特許文献１】特開２００６−３６３９５号公報
【発明の概要】
【発明が解決しようとする課題】
【０００４】
また、線材巻回体（スタンド台部及び支柱部に相当）に巻回されている線材が全て引き出された際に、他の線材巻回体に巻回された次に供給する線材を連続して引き出すことがある。すなわち、一方の線材巻回体に巻回された線材の終端部に、他方の線材巻回体に巻回された線材の始端部を連結した状態で、並べて配設した２つの線材巻回体の間で連結された線材を連続して引き出す。
【０００５】
このような連結された線材が巻回収納されている２つの線材巻回体を用いて線材の引き出しを行う際には、一方の線材巻回体に巻回された線材が全て引き出された（或いは全て引き出される直前である）ことを検出する自動切替検出機構と、引き出し位置を一方の線材巻回体側から他方の線材巻回体側に移動させるパスライン移動機構とを有する線材引出装置を用いることがあった。
【０００６】
しかしながら、このような線材引出装置は、一方の線材巻回体に巻回された線材が全て引き出された（或いは全て引き出される直前である）タイミングに対して、線材の引出態様は線材の捻れ、巻回態様等により異なることもあり、パスライン移動機構による引出位置の移動タイミングの設定が難しかった。そして、線材の引出態様と引出位置の移動タイミングが合わないと、線材のスムーズな供給が阻害される恐れもあった。
【０００７】
そこで、本発明は、線材の供給をよりスムーズに行うことを目的とする。
【課題を解決するための手段】
【０００８】
第１の態様は、線材を供給する線材供給装置であって、第１の線材巻回体と第２の線材巻回体とを含み、前記第１の線材巻回体の巻き終わりと前記第２の線材巻回体の巻き始めとが連続した線材が巻回収納され、前記線材が巻回される際の中心軸を所定の基軸に直交する平面に対して傾斜させた姿勢で前記所定の基軸周りに間隔をあけて配設された複数の線材巻回体と、前記所定の基軸周りの回転動作を可能に支持され、外周側部分に設けられて前記第１の線材巻回体又は前記第２の線材巻回体から引き出される前記線材を延在方向に移動可能に支持する誘導部と、内周側部分に設けられて前記誘導部に支持された前記線材が引き出される引出部とを含み、前記誘導部が前記回転動作によって前記第１の線材巻回体又は前記第２の線材巻回体のそれぞれの上方の位置に移動可能に構成された引出誘導部とを備える。
【０００９】
第２の態様は、第１の態様に係る線材供給装置であって、前記複数の線材巻回体は、前記中心軸を前記所定の基軸に沿わせて配設されている。
【００１０】
第３の態様は、第１又は第２の態様に係る線材供給装置であって、前記引出誘導部は、前記誘導部が前記第１の線材巻回体又は前記第２の線材巻回体のそれぞれの前記中心軸の直上を含む軌道上で移動するように回転可能に支持されている。
【００１１】
第４の態様は、第１から第３のいずれか一態様に係る線材供給装置であって、前記引出誘導部は、前記誘導部と前記引出部とが、前記誘導部から前記引出部に向けて渡される前記線材を水平かそれより下方に向く経路に案内可能な位置関係で配設されている。
【００１２】
第５の態様は、第１から第４のいずれか一態様に係る線材供給装置であって、前記第１の線材巻回体と前記第２の線材巻回体との間に立設され、前記第１の線材巻回体と前記第２の線材巻回体との間に延在する前記線材が前記所定の基軸から離間する向きに規制可能な線材規制部をさらに備える。
【００１３】
第６の態様は、第５の態様に係る線材供給装置であって、前記線材規制部は、前記第１の線材巻回体と前記第２の線材巻回体との間の中間領域において、前記引出誘導部の前記誘導部の軌道の真下の位置に立設されている。
【００１４】
第７の態様は、第５又は第６の態様に係る線材供給装置であって、前記線材規制部は、円柱周面を有する形状に形成されている。
【発明の効果】
【００１５】
第１の態様に係る線材供給装置によると、第１の線材巻回体の巻き終わりと第２の線材巻回体の巻き始めとが連続した線材が巻回収納された複数の線材巻回体が、線材が巻回される際の中心軸を所定の基軸に直交する平面に対して傾斜させた姿勢で所定の基軸周りに間隔をあけて配設され、所定の基軸周りに回転動作を可能に支持された引出誘導部が、外周側部分に設けられて第１又は第２の線材巻回体から引き出される線材を延在方向に移動可能に支持する誘導部と、内周側部分に設けられて誘導部に支持された線材が引き出される引出部とを含み、誘導部が回転動作によって第１又は第２の線材巻回体のそれぞれの上方の位置に移動可能に構成されている。これにより、第１の線材巻回体に巻回された線材が全て引き出されて第２の線材巻回体に巻回された線材が引き出し始められる際に、誘導部が線材の引出位置の移動によって第１の線材巻回体上から第２の線材巻回体上に移動され、引出誘導部が回転される。このように、線材が引き出される線材巻回体が替わる動作に伴って引出誘導部が回転して第１の線材巻回体から線材を引き出しやすい位置から第２の線材巻回体から線材を引き出しやすい位置に誘導部の支持位置が替わる。このため、毎回変わり得る線材の引き出し態様のタイミングを設定せずに線材が移行する力によって線材の支持位置が変更され、線材の供給をよりスムーズに行うことができる。
【００１６】
第２の態様に係る線材供給装置によると、複数の線材巻回体が、中心軸を所定の基軸に沿わせて配設されているため、線材の鉛直方向への引き出しをよりスムーズに行うことができる。
【００１７】
第３の態様に係る線材供給装置によると、引出誘導部が、誘導部が第１又は第２の線材巻回体のそれぞれの中心軸の直上を含む軌道上で移動するように回転可能に支持されている。このため、線材巻回体に巻回された線材が線材巻回体の中心軸の直上に向けて中心軸周りに移動しつつ引き出され、線材の供給をよりスムーズに行うことができる。
【００１８】
第４の態様に係る線材供給装置によると、引出誘導部は、誘導部と引出部とが、誘導部から引出部に向けて渡される線材を水平かそれより下方に向く経路に案内可能な位置関係で配設されている。このため、装置全体の高さ寸法をより小さくすることができる。
【００１９】
第５の態様に係る線材供給装置によると、第１の線材巻回体と第２の線材巻回体との間に立設され、第１の線材巻回体と第２の線材巻回体との間に延在する線材が所定の基軸から離間する向きに規制可能な線材規制部をさらに備えるため、線材が第１の線材巻回体から第２の線材巻回体に移行する際に引出誘導部の外周側を通るように案内され、引出誘導部の回転をよりスムーズにすることができる。
【００２０】
第６の態様に係る線材供給装置によると、線材規制部が、第１の線材巻回体と第２の線材巻回体との間の中間領域において、引出誘導部の誘導部の軌道を中心軸の延長線が通る位置に立設されているため、誘導部が線材の移行のタイミングによりぴったり合って移動しやすく、引出誘導部の回転をよりスムーズにすることができる。
【００２１】
第７の態様に係る線材供給装置によると、線材規制部が円柱周面を有する形状に形成されているため、線材規制部に対して接触した状態の線材の動作をスムーズにすることができる。
【図面の簡単な説明】
【００２２】
【図１】線材供給装置の斜視図である。
【図２】線材供給装置の平面図である。
【図３】線材供給装置の第１の線材巻回体からの線材供給状態を示す平面図である。
【図４】線材供給装置の引出誘導部の動作を示す平面図である。
【図５】線材供給装置の第２の線材巻回体からの線材供給状態を示す図である。
【発明を実施するための形態】
【００２３】
以下、実施形態に係る線材供給装置１０について説明する（図１、図２参照）。線材供給装置１０は、複数の線材巻回体２０から線材１２を供給する装置である。
【００２４】
説明の便宜上、線材１２及び線材巻回体２０について説明しておく。線材１２は、例えば導体素線である。この場合、線材供給装置１０は、導体素線を伸線装置に供給する際等に用いられる。他にも、線材１２としては、被覆電線及びその他の線条部材が挙げられ、線材供給装置は撚線装置、被覆装置への線材１２供給に用いることができる。
【００２５】
この線材１２は、線材巻回体２０から供給される。より具体的には、線材１２は、第１の線材巻回体２０の巻き終わりと第２の線材巻回体２０の巻き始めとが連続した形態で巻回されている。線材巻回体２０は、柱部２２と、一対の鍔部２４と、巻回形態の線材１２とを有している。柱部２２は、外周部に線材１２が巻回される部分であり、円柱状に形成されている。一対の鍔部２４は、柱部２２に巻回された線材１２が柱部２２の中心軸方向に外れることを規制する部分である。一対の鍔部２４は、柱部２２の中心軸方向両端部において、柱部２２の外周側に張り出す形状に形成されている。ここでは、一対の鍔部２４は、外周部が円形状に形成されている。そして、柱部２２の外周部に巻回された線材１２は、一対の鍔部２４の間で収納される。
【００２６】
もっとも、線材巻回体２０は、上記形状に限られるものではない。例えば、線材巻回体は、柱部又は一対の鍔部が多角柱状又は多角板状等に形成されたものに線材１２が巻回収容されて構成されていてもよいし、柱部とその中心軸方向一方のみに巻回された線材１２が載置された鍔部が設けられた構成であってもよい。また、線材巻回体は、線材１２が巻回されただけで構成されていてもよいし、上方が開放されたドーナツ型の容器に線材１２が巻回収容されていてもよい。
【００２７】
＜線材供給装置＞
線材供給装置１０は、上述した複数の線材巻回体２０と、支持部３０と、引出誘導部４０と、支持柱部５０と、線材規制部６０とを備えている。
【００２８】
ここでは、２つの線材巻回体２０から線材１２を供給する線材供給装置１０を例に説明する。すなわち、第１の線材巻回体２０（図１〜図５の右側）の巻き終わりと第２の線材巻回体２０（図１〜図５の左側）の巻き始めとが連続する形態で線材１２が巻回収納されている。そして、線材１２を第１の線材巻回体２０から引き出し終えた後に連続して第２の線材巻回体２０から引き出すように構成されている。
【００２９】
第１及び第２の線材巻回体２０は、線材１２が巻回される際の中心軸を所定の基軸１５に直交する平面に対して傾斜する姿勢で、この基軸１５周りに間隔をあけて配設されている。ここでは、第１及び第２の線材巻回体２０は、中心軸を基軸１５に沿わせて配設されている。また、第１及び第２の線材巻回体２０は、支持部３０により、交換可能に支持されている。すなわち、支持部３０は、２つの線材巻回体２０を支持可能に構成されている。より具体的には、支持部３０は、２つの線材巻回体２０を、平面視においてそれぞれの中心軸が基軸１５から略等距離となる位置で支持する。また、支持部３０は、線材巻回体２０を、その中心軸に直交する方向に相対移動不能に載置状に支持するように構成されているとよい。例えば、支持部３０は、線材巻回体２０に対して着脱可能に凹凸嵌合した状態で支持するように構成されているとよい。そして、線材巻回体２０に巻回収容された線材１２が全て引き出されたら、支持部３０に支持する線材巻回体２０を交換して新たな線材１２を供給可能に構成されている。
【００３０】
引出誘導部４０は、支持部３０に支持された線材巻回体２０に巻回収納されている線材１２を、第１又は第２の線材巻回体２０内の線材１２が引き出される線材巻回体２０の位置に応じた経路で引き出すように誘導する部分である。この引出誘導部４０は、本体部４１と、誘導部４２と、引出部４６とを有している。より具体的には、引出誘導部４０は、長尺板状に形成された本体部４１の先端側部分に誘導部４２が設けられ、基端側部分に引出部４６が設けられて構成されている。そして、引出誘導部４０は、自身の回転動作により誘導部４２が支持部３０に支持された第１及び第２の線材巻回体２０のそれぞれの上方の位置に移動可能に構成されている。
【００３１】
引出誘導部４０は、基軸１５周りに回転動作を可能に支持されている。以下の説明では、基軸１５を引出誘導部４０の回転軸と呼ぶことがある。より具体的には、引出誘導部４０は、支持柱部５０により支持されている。支持柱部５０は、支持部３０に支持される線材巻回体２０の中心軸方向に沿って立設された柱状の部分である。この支持柱部５０により、引出誘導部４０は、支持部３０に支持される線材巻回体２０より上方の位置で支持される。ここでは、引出誘導部４０は、鉛直方向に沿って扁平で且つ水平方向に長尺となる姿勢で、支持柱部５０に対して回転軸周りに相対回転可能に基端部が支持されている。すなわち、引出誘導部４０は、回転動作により、先端部（外周部）が回転軸周りに比較的長距離を移動可能で、基端部（内周部）がより小さい移動量でほぼ一定の位置に維持される。
【００３２】
誘導部４２は、引出誘導部４０の外周側部分に設けられて線材巻回体２０から引き出される線材１２を延在方向に移動可能に支持する部分である。また、引出部４６は、引出誘導部４０の内周側部分に設けられて誘導部４２に支持された線材１２が引き出される部分である。ここでは、誘導部４２及び引出部４６は、それぞれ、長尺板状の本体部４１に対して相対回転可能に支持されたプーリーにより構成されている。より具体的には、誘導部４２及び引出部４６は、本体部４１に対して水平方向に沿った平行な軸周りに回転可能に支持されている。そして、線材１２は、誘導部４２の上側及び引出部４６の下側を通る経路で誘導部４２及び引出部４６の溝底に掛けられて上方に引き出されている。
【００３３】
また、引出誘導部４０は、誘導部４２と引出部４６とが、誘導部４２から引出部４６に向けて渡される線材１２を水平かそれより下方に向く経路（ここでは水平な経路）に案内可能な位置関係で配設されている。すなわち、引出誘導部４０は、高さ方向において、誘導部４２の溝底の上端と引出部４６の溝底の下端とが線材１２の直径分の間隔をあけた位置に配設されているとよい。
【００３４】
また、引出誘導部４０は、誘導部４２が支持部３０に支持された第１及び第２の線材巻回体２０のそれぞれの中心軸の直上を含む軌道上で移動するように回転可能に支持されている。換言すると、誘導部４２は、引出誘導部４０の回転動作により、支持部３０に支持された各線材巻回体２０の中心軸の直上の位置に移動可能である（図２、図５参照）。すなわち、引出誘導部４０は、線材１２が引き出されている線材巻回体２０の中心軸の直上の位置から線材１２を引き出すことができ、異なる線材巻回体２０から線材１２から引き出される場合にもその線材巻回体２０の中心軸の直上の位置から線材１２を引き出すことができる。
【００３５】
線材規制部６０は、第１の線材巻回体２０に巻回収納された線材１２が全て引き出されて、引き出される線材１２が第２の線材巻回体２０に移行する際に、該線材１２の経路を規制する部分である。より具体的には、線材規制部６０は、線材１２を引出誘導部４０の回転軸に対する外周側に案内可能に構成されている。すなわち、第１の線材巻回体２０と第２の線材巻回体２０との間で延在している線材１２は、線材規制部６０に対して、引出誘導部４０の回転軸に関する外周側を通して配設される。そして、線材規制部６０は、線材１２をより外周側を通って移行させることにより、線材１２の移行に伴って引出誘導部４０の回転動作をスムーズにする。
【００３６】
線材規制部６０は、支持部３０に支持された第１及び第２の線材巻回体２０の間に立設されている。この線材規制部６０は、第１の線材巻回体２０と第２の線材巻回体２０との間に立設され、第１の線材巻回体２０と第２の線材巻回体２０との間に延在する線材１２が基軸１５から離間する向きに規制可能に構成されている。ここでは、線材規制部６０は、円柱周面を有する形状（ここでは基軸１５に中心軸を沿わせる円柱状）に形成されている。また、ここでは、線材規制部６０は、第１の線材巻回体２０と第２の線材巻回体２０との間の中間領域（図１における分離した支持部３０の間の領域）において、引出誘導部４０の誘導部４２の軌道の真下の位置に立設されている。より好ましくは、線材規制部６０は、２つの線材巻回体２０同士を結ぶ方向において、該２つの線材巻回体２０の中間の位置に設けられている。また、線材規制部６０は、引出誘導部４０の誘導部４２より低い高さ寸法に設定されている。より好ましくは、線材規制部６０の高さ寸法は、引出誘導部４０が回転動作した際に、誘導部４２に支持されている線材１２が引っ掛からない範囲でなるべく高く設定されているとよい。
【００３７】
＜線材供給装置の動作＞
次に、線材供給装置１０の動作について説明する。初期状態として、線材供給装置１０は、連続する線材１２が巻回収容された２つの線材巻回体２０が支持部３０に支持され、第１の線材巻回体２０から線材１２が引き出されて引出誘導部４０の誘導部４２及び引出部４６に掛けられて上方に引き出された状態にある（図２参照）。また、引出誘導部４０は、平面視において、２つの線材巻回体２０を結ぶ方向における２つの線材巻回体２０の間の位置に位置しているものとする。
【００３８】
線材１２の供給が開始されると、線材１２が引出部４６の上方に引き出される（図３参照）。これにより、引出誘導部４０は、線材１２に引っ張られて、線材１２が引き出される第１の線材巻回体２０の上方（より具体的には中心軸の直上付近）の位置に誘導部４２が移動するように回転動作する。この状態で、線材１２が第１の線材巻回体２０から引き出される。
【００３９】
第１の線材巻回体２０に巻回収容された線材１２が全て引き出されると、第２の線材巻回体２０に連続して巻回収容されている線材１２に引っ張られて、引出誘導部４０が第２の線材巻回体２０側に回転動作する（図４参照）。この際、線材規制部６０の外周側を通る線材１２は、線材規制部６０と接触してその内周側への移動が規制される。このため、線材規制部６０の外周側を通る線材１２により引っ張られる引出誘導部４０には、外周側部分に設けられた誘導部４２に対して周方向により大きい力が作用する。すなわち、線材１２が線材規制部６０により規制されない場合、より内周側の位置を通るため、誘導部４２に対して作用する力は、引出誘導部４０の回転軸に向く力が大きく、周方向に向く力が小さくなる傾向にある。これにより、引出誘導部４０は、よりスムーズに第１の線材巻回体２０から第２の線材巻回体２０側に回転される。
【００４０】
そして、線材巻回体２０は、線材１２に引っ張られて、線材１２が引き出される第２の線材巻回体２０の上方（より具体的には中心軸の直上付近）の位置に誘導部４２が移動するように回転動作する（図５参照）。この状態で、線材１２が第２の線材巻回体２０から引き出される。
【００４１】
以上のようにして、線材供給装置１０から線材１２が供給される。第２の線材巻回体２０から線材１２が全て引き出されたときは、線材巻回体２０を交換して新たに線材１２を供給するとよい。また、第２の線材巻回体２０に巻回収容された線材１２の引き出し中に、第１の線材巻回体２０を交換して、第２の線材巻回体２０の巻き終わりと連結することにより、第２の線材巻回体２０からの線材１２の引き出し後に連続して交換した第１の線材巻回体２０から線材を引き出すようにしてもよい。
【００４２】
上記実施形態に係る線材供給装置１０によると、第１の線材巻回体２０の巻き終わりと第２の線材巻回体２０の巻き始めとが連続した線材１２が巻回収納された第１又は第２の線材巻回体２０が、線材１２が巻回される際の中心軸を所定の基軸１５に沿わせて該所定の基軸１５周りに間隔をあけて配設され、所定の基軸１５周りに回転動作を可能に支持された引出誘導部４０が、外周側部分に設けられて第１又は第２の線材巻回体２０から引き出される線材１２を延在方向に移動可能に支持する誘導部４２と、内周側部分に設けられて誘導部４２に支持された線材１２が引き出される引出部４６とを含み、誘導部４２が回転動作によって第１及び第２の線材巻回体２０のそれぞれの上方の位置に移動可能に構成されている。これにより、第１の線材巻回体２０に巻回収納された線材１２が全て引き出されて第２の線材巻回体２０に巻回収納された線材１２が引き出し始められる際に、誘導部４２が線材１２の引出位置の移動によって第１の線材巻回体２０上から第２の線材巻回体２０上に移動され、引出誘導部４０が回転される。このように、線材１２が引き出される線材巻回体２０が替わる動作に伴って引出誘導部４０が回転して第１の線材巻回体２０から線材１２を引き出しやすい位置から第２の線材巻回体２０から線材１２を引き出しやすい位置に誘導部４２の支持位置が替わる。このため、毎回変わり得る線材１２の引き出し態様のタイミングを設定せずに線材１２が移行する力によって線材１２の支持位置が変更され、線材１２の供給をよりスムーズに行うことができる。
【００４３】
また、引出誘導部４０が、誘導部４２が第１又は第２の線材巻回体２０のそれぞれの中心軸の直上を含む軌道上で移動するように回転可能に支持されている。このため、線材巻回体２０に巻回収納された線材１２が第１又は第２の線材巻回体２０の中心軸の直上に向けて中心軸周りに移動しつつ引き出され、線材１２の供給をよりスムーズに行うことができる。
【００４４】
また、引出誘導部４０は、誘導部４２と引出部４６とが、誘導部４２から引出部４６に向けて渡される線材１２を水平かそれより下方に向く経路に案内可能な位置関係で配設されている。このため、装置全体の高さ寸法をより小さくすることができる。
【００４５】
また、第１の線材巻回体２０と第２の線材巻回体２０との間に立設され、第１の線材巻回体２０と第２の線材巻回体２０との間に延在する線材１２が所定の基軸１５から離間する向きに規制可能な線材規制部６０をさらに備えるため、線材１２が第１の線材巻回体２０から第２の線材巻回体２０に移行する際に引出誘導部４０の外周側を通るように案内され、引出誘導部４０の回転をよりスムーズにすることができる。
【００４６】
また、線材規制部６０が、第１の線材巻回体２０と第２の線材巻回体２０との間の中間領域において、引出誘導部４０の誘導部４２の軌道の真下の位置に立設されているため、誘導部４２が線材１２の移行のタイミングによりぴったり合って移動しやすく、引出誘導部４０の回転をよりスムーズにすることができる。
【００４７】
また、線材規制部６０が円柱周面を有する形状に形成されているため、線材規制部６０に対して接触した状態の線材１２の動作をスムーズにすることができる。
【００４８】
これまで、線材巻回体２０を２つ設けた線材供給装置１０について説明してきたが、線材巻回体２０は、３以上の複数設けられていてもよい。例えば、線材巻回体が３つ設けられる場合、線材１２のうちの第１の線材巻回体の巻き終わりと第２の線材巻回体の巻き始め、第２の線材巻回体の巻き終わりと第３の線材巻回体の巻き始めが連続している。
【００４９】
支持部３０は、省略されてもよい。すなわち、線材巻回体２０は、中心軸を平行にする姿勢で基軸１５周りに間隔をあけて配設されていればよく、支持部３０に支持されている配設態様に限られない。
【００５０】
引出誘導部４０は、線材巻回体２０の中心軸に平行で基軸１５を通る回転軸周りに回転可能に支持され、誘導部４２が第１及び第２の線材巻回体２０のそれぞれの上方の位置に移動可能に構成されていればよく、上記構成に限られるものではない。例えば、引出誘導部４０は、溝状或いは挿通孔状の誘導部及び引出部を有する構成であってもよい。
【００５１】
また、引出誘導部４０の誘導部４２の移動経路は、上述した経路より内周側又は外周側であってもよい。もっとも、各線材巻回体２０から線材１２をスムーズに引き出す観点から言うと、引出誘導部４０は、誘導部４２が線材巻回体２０の中心軸の直上を通る経路で移動可能に構成されていることが好ましい。
【００５２】
また、誘導部４２と引出部４６とが、誘導部４２から引出部４６に向けて渡される線材１２を水平な経路に案内可能な位置関係で配設されている例で説明してきたが、これに限られるものではない。誘導部４２は線材巻回体２０から引き出される線材１２を引出可能に支持する部分であり、引出部４６は誘導部４２で線材巻回体２０の中心軸の直上付近の位置に引き出された線材１２を引出誘導部４０の回転中心に近い位置から引き出すために支持する部分である。このため、誘導部４２及び引出部４６の位置は、引出誘導部４０の回転中心に対する内外方向の位置が特に重要であって、高さ方向においては線材１２の引き出しを阻害しない範囲で任意に決定されるとよい。もっとも、線材供給装置１０の全体の高さは、引出部４６が誘導部４２の高さ以上の位置にある場合、引出部４６の位置によって決定されるため、装置のサイズをコンパクトにすることを考慮すると、引出部４６の位置は誘導部４２に対してなるべく低く設定されていることが好ましい。例えば、高さ方向において誘導部４２より引出部４６が低い位置に設けられ、ここに掛けられる線材１２を誘導部４２から引出部４６側に向けて下方に延在させる傾斜した経路で引き出してもよい。
【００５３】
さらに、線材１２は、誘導部４２の上側及び引出部４６の下側を通る経路で誘導部４２及び引出部４６に掛けられる場合に限られない。すなわち、線材１２は、誘導部４２及び引出部４６の上側に掛けられて水平方向又は下方に引き出されてもよい。
【００５４】
また、線材規制部６０の位置は、上述した位置に限られない。もっとも、引出誘導部４０の回転動作をスムーズにする観点から言うと、誘導部４２に掛けられた線材１２が引出誘導部４０の回転動作時に引っ掛からない範囲で引出誘導部４０の回転軸に対して外周側に設定されていることが好ましい。
【００５５】
以上のように、線材供給装置１０は詳細に説明されたが、上記した説明は、全ての局面において例示であって、この発明がそれに限定されるものではない。また、上述した各種変形例は、相互に矛盾しない限り組み合わせて適用可能である。そして、例示されていない無数の変形例が、この発明の範囲から外れることなく想定され得るものと解される。
【符号の説明】
【００５６】
１０  線材供給装置
１２  線材
１５  基軸
２０  線材巻回体
４０  引出誘導部
４２  誘導部
４６  引出部
６０  線材規制部
【図１】
2014034465.tif 000003
【図２】
2014034465.tif 000004
【図３】
2014034465.tif 000005
【図４】
2014034465.tif 000006
【図５】
2014034465.tif 000007